(57)【要約】【課題】電源基板に定着器を通過した湿度の高い空気が流入することを抑制しつつ、定着器および電源基板から発生する熱を排熱できる画像形成装置を提供すること。【解決手段】  ファン７１は、低圧電源基板４５、高圧電源基板４６および制御基板４７が配置される第１空間Ｒ１の空気と定着カバー４２とフラットベットスキャナ５のフレーム本体３２との間の第２空間Ｒ２の空気とを排気する。延設壁７０は、ファン支持部６０の収容左壁６６から定着ユニット１３側に延び、第１空間Ｒ１と第２空間Ｒ２とを隔てる。そのため、低圧電源基板４５、高圧電源基板４６および制御基板４７の周辺の空気は、第１空間Ｒ１を通過して、ファン７１によって排気される。また、定着ユニット１３の周辺の空気は、第２空間Ｒ２を通過して、ファン７１によって排気される。このとき、延設壁７０によって第１空間Ｒ１の空気が第２空間Ｒ２に流入することが抑制される。【選択図】図４
2015069018.tif 000002
【特許請求の範囲】
【請求項１】
加熱部と回転可能に構成される加圧部とを有し、搬送されてきた用紙に形成された現像剤像を用紙に定着する定着器と、
前記加圧部の回転の軸方向において前記定着器の外側に位置し、前記定着器を支持するフレームと、
前記定着器の上方を覆う上方カバーと、
前記上方カバーの上方に備えられ、原稿の画像を読み取る画像読取装置と、
前記軸方向において、前記フレームに対して前記定着器とは反対側に配置され、前記定着器に電力を供給する電源基板と、
前記軸方向において、前記フレームに対して前記定着器とは反対側に配置されるファン支持部と、
前記ファン支持部に支持され、前記電源基板が配置される第１空間と前記上方カバーと前記画像読取装置との間の第２空間とを排気するファンと、
前記ファン支持部から前記定着器側に延び、前記第１空間と前記第２空間とを隔てる延設壁と、を備えることを特徴とする、画像形成装置。
【請求項２】
前記第２空間は、前記延設壁よりも下側に配置されており、
前記延設壁は、前記ファン支持部の上下方向中央よりも上方に配置されることを特徴とする、請求項１に記載の画像形成装置。
【請求項３】
前記延設壁は、前記フレームよりも上方に配置されることを特徴とする、請求項１または請求項２に記載の画像形成装置。
【請求項４】
前記電源基板を挟んで前記フレームと反対側に配置されるサイドカバーをさらに備え、
前記サイドカバーは、前記ファン支持部を有することを特徴とする、請求項１ないし請求項３のいずれか一項に記載の画像形成装置。
【請求項５】
前記延設壁は、前記軸方向において前記フレームよりも前記定着器側まで延びることを特徴とする、請求項１ないし請求項４のいずれか一項に記載の画像形成装置。
【請求項６】
前記上方カバーは、前記第２空間と前記定着器が配置されている空間とを連通する貫通口を有することを特徴とする請求項１ないし請求項５のいずれか一項に記載の画像形成装置。
【発明の詳細な説明】
【技術分野】
【０００１】
本発明は、電子写真方式が採用される画像形成装置に関する。
【背景技術】
【０００２】
電子写真方式が採用される画像形成装置として、画像データを読み取るように構成される読取装置と、用紙に画像を形成する画像形成部とを備える画像形成装置が知られている。画像形成部は、用紙に画像を定着させるための定着装置を備える。
【０００３】
このような画像形成装置として、例えば、定着装置から搬送された用紙を排出するための排紙ユニットと、排紙ユニットを挟むように配置される吸気ファンおよび排気ファンを備える画像形成装置が提案されている。この画像形成装置では、吸気ファンから排気ファンに向かう気流により排紙ユニットを冷却している。また、この画像形成装置では、排気ファンとの間に電装部品（例えば、ステッピングモータやソレノイド）が位置しており、電装部品を冷却するために、別の吸気ファンを備えている。（例えば、特許文献１参照）。
【先行技術文献】
【特許文献】
【０００４】
【特許文献１】特開２０１０−３９１７５号公報
【発明の概要】
【発明が解決しようとする課題】
【０００５】
しかるに、上記特許文献１に記載の画像形成装置では、定着装置から搬送された用紙は、排紙ユニットを通過する。そのため、定着装置で加熱された空気が排紙ユニット周辺に溜まっている。排紙ユニット周辺の空気は、定着装置によって加熱されて用紙から蒸発した水蒸気を含んでいる。そのため、吸気ファンから排気ファンに向かう気流によって排紙ユニット周辺の空気を排気すると、水蒸気を多く含む空気が電装部品周辺に流入する。しかも、別の吸気ファンにより、吸気ファンから排気ファンに向かう空気よりも低温の外気を取り込んでいる。そのため、電装部品周辺に流入した水蒸気を含む空気が外気によって急激に冷却され、電装部品周辺において結露が発生するおそれがある。電装部品に水分が作用すると、電装部品が破損するおそれがある。
【０００６】
そこで、本発明の目的は、電源基板に定着器を通過した湿度の高い空気が流入することを抑制しつつ、定着器および電源基板から発生する熱を排熱できる画像形成装置を提供することにある。
【課題を解決するための手段】
【０００７】
（１）上記目的を達成するために、本発明の画像形成装置は、加熱部と回転可能に構成される加圧部とを有し、搬送されてきた用紙に形成された現像剤像を用紙に定着する定着器と、加圧部の回転の軸方向において定着器の外側に位置し、定着器を支持するフレームと、定着器の上方を覆う上方カバーと、上方カバーの上方に備えられ、原稿の画像を読み取る画像読取装置と、軸方向において、フレームに対して定着器とは反対側に配置され、定着器に電力を供給する電源基板と、軸方向において、フレームに対して定着器とは反対側に配置されるファン支持部と、ファン支持部に支持され、電源基板が配置される第１空間と上方カバーと画像読取装置との間の第２空間とを排気するファンと、ファン支持部から定着器側に延び、第１空間と第２空間とを隔てる延設壁と、を備える。
【０００８】
このような構成によれば、ファンは、電源基板が配置される第１空間の空気と上方カバーと画像読取装置との間の第２空間の空気とを排気する。延設壁は、ファン支持部から定着器側に延び、第１空間と第２空間とを隔てる。
【０００９】
そのため、電源基板周辺の空気は、第１空間を通過して、ファンによって排気される。また、定着器周辺の空気は、第２空間を通過して、ファンによって排気される。このとき、延設壁によって第１空間の空気が第２空間に流入することが抑制される。
【００１０】
その結果、水蒸気を多く含む定着器周辺の空気が、電源基板が配置される第１空間に流入することを抑制しながら、第１空間および第２空間に発生する熱、すなわち、定着器および電源基板から発生する熱を排熱できる。
【００１１】
よって、電源基板に定着器を通過した湿度の高い空気が流入することを抑制しつつ、定着器および電源基板から発生する熱を排熱できる。
（２）また、第２空間は、延設壁よりも下側に配置されており、延設壁は、ファン支持部の上下方向中央よりも上方に配置されてもよい。
【００１２】
このような構成によれば、第１空間の空気を排気するファンの領域を、第２空間の空気を排気するファンの領域に比べて大きくできる。
【００１３】
そのため、第１空間の空気を、第２空間の空気に比べて多く排気できる。
【００１４】
その結果、電源基板から発生する熱を効率よく排熱できる。
（３）また、延設壁は、フレームよりも上方に配置されてもよい。
【００１５】
このような構成によれば、延設壁により、電源基板が配置される第１空間に、第２空間の空気が流入することを確実に抑制できる。
【００１６】
そのため、電源基板に定着器を通過した湿度の高い空気が流入することを一層抑制できる。
（４）また、電源基板を挟んでフレームと反対側に配置されるサイドカバーをさらに備えてもよい。サイドカバーは、ファン支持部を有してもよい。
【００１７】
このような構成によれば、ファン支持部をサイドカバーにより安定的に保持できる。
（５）また、延設壁は、軸方向においてフレームよりも定着器側まで延びてもよい。
【００１８】
このような構成によれば、延設壁は、軸方向においてフレームよりも定着器側まで延びている。また、軸方向において、フレームに対して定着器と反対側に電源基板が配置されている。
【００１９】
そのため、電源基板が配置される空間をフレームと延設壁とにより確実に区画できる。
（６）また、上方カバーは、第２空間と定着器が配置されている空間とを連通する貫通口を有してもよい。
【００２０】
このような構成によれば、上方カバーは貫通口を有している。
【００２１】
そのため、貫通口を介して、第２空間と定着器が配置されている空間とを連通させることができる。
【００２２】
その結果、定着器周辺の空気を第２空間に円滑に流入させてファンにより排気できる。
【００２３】
よって、定着器周辺に発生した熱を円滑に排熱できる。
【発明の効果】
【００２４】
本発明の画像形成装置では、電源基板に湿度の高い空気が作用することを抑制しつつ、定着器および電源基板から発生する熱を排熱できる。
【図面の簡単な説明】
【００２５】
【図１】図１は、本発明の画像形成装置の一実施形態としてのプリンタを示す右側面図である。
【図２】図２は、図１に示すプリンタの上面図である。
【図３】図３は、図１に示すプリンタの中央断面図である。
【図４】図４は、図２に示すプリンタのＡ−Ａ断面図である。
【図５】図５は、図２に示すプリンタのＢ−Ｂ断面図である。
【図６】図６は、図２に示すプリンタのＣ−Ｃ断面図である。
【図７】図７は、図１に示すプリンタのフラットベットスキャナを外した状態を示す平面図である。
【図８】図８は、図１に示すプリンタの右サイドカバーを左方から見た状態を示す側面図である。
【発明を実施するための形態】
【００２６】
１．プリンタの全体構成
図１、図２および図３に示すように、画像形成装置の一例としてのプリンタ１は、本体ケーシング２と、画像形成部３と、画像読取装置の一例としてのフラットベットスキャナ５とを一体的に備える複合機である。
【００２７】
なお、以下の説明において、プリンタ１の方向に言及するときには、プリンタ１を水平に載置した状態を上下の基準とする。すなわち、図１の紙面上方が上方であり、紙面下方が下方である。また、図１の紙面左方が前方であり、図１の紙面右方が後方である。また、プリンタ１を前方から見たときを左右の基準とする。すなわち、図１の紙面奥が左方であり、紙面手前が右方である。
【００２８】
本体ケーシング２は、左右方向に延びる略ボックス形状を有している。本体ケーシング２は、用紙載置部１０と、排紙トレイ６とを備えている。
【００２９】
用紙載置部１０は、本体ケーシング２の底部に位置しており、略ボックス形状を有している。用紙載置部１０では、用紙Ｐが載置されている。
【００３０】
排紙トレイ６は、本体ケーシング２の上壁の前方部分に位置している。排紙トレイ６は、用紙Ｐが載置されるように、本体ケーシング２の上面から下方に凹んでいる。
【００３１】
画像形成部３は、プロセスユニット１１と、露光ユニット１２と、定着器の一例としての定着ユニット１３とを備えている。
【００３２】
プロセスユニット１１は、本体ケーシング２の上下方向略中央に位置している。プロセスユニット１１は、ドラムユニット１４と、現像ユニット１５とを備えている。
【００３３】
ドラムユニット１４は、感光ドラム１６と、転写ローラ１７と、スコロトロン型帯電器１８とを備えている。
【００３４】
感光ドラム１６は、左右方向に延びる略円筒形状を有している。感光ドラム１６は、ドラムユニット１４の後方部分において、回転可能に支持されている。
【００３５】
転写ローラ１７は、感光ドラム１６の後方に位置している。転写ローラ１７は、ドラムユニット１４の後方部分において、回転可能に支持されている。転写ローラ１７の前端部は、感光ドラム１６の後端部と接触している。
【００３６】
スコロトロン型帯電器１８は、感光ドラム１６の上方に間隔を隔てて位置している。
【００３７】
現像ユニット１５は、現像ローラ１９と、供給ローラ２０と、層厚規制ブレード２１と、を備えている。
【００３８】
現像ローラ１９は、現像ユニット１５の後端部において、回転可能に支持されている。現像ローラ１９の後上端部は、感光ドラム１６の前下端部に接触している。
【００３９】
供給ローラ２０は、現像ローラ１９の前下方に位置している。供給ローラ２０は、現像ユニット１５の後方部分において、回転可能に支持されている。供給ローラ２０の後上端部は、現像ローラ１９の前下端部と接触している。
【００４０】
層厚規制ブレード２１は、現像ローラ１９の前方に位置している。層厚規制ブレード２１は、正面視略矩形を有している。層厚規制ブレード２１は、現像ユニット１５の後端部に支持されている。層厚規制ブレード２１の下端部は、現像ローラ１９の前端部に接触している。
【００４１】
供給ローラ２０および層厚規制ブレード２１の前方の空間には、トナーが収容されている。
【００４２】
露光ユニット１２は、本体ケーシング２の上下方向略中央において、プロセスユニット１１の前方に間隔を隔てて位置している。露光ユニット１２は、感光ドラム１６に向けて、画像データに基づくレーザービームを出射し、感光ドラム１６の周面を露光する。
【００４３】
定着ユニット１３は、本体ケーシング２の後上側端部において、プロセスユニット１１の上方に位置している。定着ユニット１３は、左右方向に延びる加熱部の一例としての加熱ローラ２２と、加熱ローラ２２に対して前上方から接触し、左右方向に延びる加圧部の一例としての加圧ローラ２３とを備えている。
【００４４】
フラットベットスキャナ５は、本体ケーシング２の上方に位置している。フラットベットスキャナ５は、スキャナフレーム３１を備えている。
【００４５】
スキャナフレーム３１は、本体ケーシング２の上方に位置している。スキャナフレーム３１は、フレーム本体３２と、原稿カバー３３とを備えている。
【００４６】
フレーム本体３２は、スキャナフレーム３１の下方半分を構成し、上下方向において扁平な略ボックス形状を有している。フレーム本体３２の上壁は、その中央部分において開口３４を有している。開口３４は、ガラスなどからなる読取窓３５によって閉鎖されている。
【００４７】
原稿カバー３３は、スキャナフレーム３１の上方半分を構成し、上下方向に扁平な略ボックス形状を有している。原稿カバー３３は、その後端部において、フレーム本体３２の後端部に揺動可能に支持されている。
【００４８】
フラットベットスキャナ５においては、読取窓３５と原稿カバー３３との間に原稿が配置された後、図示しない読取センサをスライドさせることによって原稿の画像データが読み取られる。そして、読み取った画像データに基づいて後述する画像形成動作を実施できる。
【００４９】
プリンタ１において画像形成動作が開始されると、現像ユニット１５内のトナーは、供給ローラ２０と現像ローラ１９との間で摩擦帯電され、層厚規制ブレード２１によって厚さが規制されて、一定厚さの薄層として現像ローラ１９の表面に担持される。
【００５０】
一方、感光ドラム１６の表面は、スコロトロン型帯電器１８によって一様に帯電された後、露光ユニット１２によって露光される。これにより、感光ドラム１６の表面には、画像データに基づく静電潜像が形成される。そして、現像ローラ１９に担持されるトナーが感光ドラム１６の表面上の静電潜像に供給されることにより、感光ドラム１６の表面上にトナー像が担持される。
【００５１】
用紙載置部１０に載置された用紙Ｐは、各種ローラの回転により、所定のタイミングで１枚ずつ、感光ドラム１６と転写ローラ１７との間に給紙される。そして、用紙Ｐには、感光ドラム１６と転写ローラ１７との間を通過するときに、トナー像が転写され、画像が形成される。
【００５２】
続いて、用紙Ｐは、加熱ローラ２２と加圧ローラ２３との間を通過するときに加熱および加圧される。このとき、用紙Ｐには、画像が熱定着される。その後、用紙Ｐは、排紙トレイ６に排紙される。
【００５３】
このように用紙Ｐは、プリンタ１の画像形成動作において、用紙載置部１０から排紙トレイ６へ、側面視略Ｃ字状の搬送経路中を搬送される。
２．本体ケーシングの詳細 
図４に示すように、本体ケーシング２は、１対のフレーム４１と、上方カバーの一例としての定着カバー４２と、リアフレーム４８と、１対のサイドカバー４３と、を備えている。以下の説明において、１対のフレーム４１の左右に言及するときは、左方のフレームを左フレーム４１Ｌとし、右方のフレームを右フレーム４１Ｒとする。また、１対のサイドカバー４３の左右に言及するときは、左方のサイドカバー４３を左サイドカバー４３Ｌとし、右方のサイドカバー４３を右サイドカバー４３Ｒとする。なお、図４においては、便宜上、プロセスユニット１１の記載を省略している。
（１）フレーム
１対のフレーム４１のそれぞれは、側面視略矩形の枠形状を有している。１対のフレーム４１は、互いに左右方向に間隔を隔てて位置している。
【００５４】
図４、図５および図６に示すように、右フレーム４１Ｒは、右フレーム平板部８０と、右フレーム上壁８１と、右フレーム前壁８２と、右フレーム下壁８３と、右フレーム後壁８４と、を備えている。
【００５５】
右フレーム平板部８０は、側面視略矩形の板形状を有している。
【００５６】
右フレーム上壁８１は、右フレーム平板部８０の上端から右方に向かって突出している。右フレーム上壁８１は、後方から前方に向かうにつれてやや下方に傾斜している。
【００５７】
右フレーム前壁８２は、右フレーム平板部８０の前端から右方に向かって突出している。右フレーム前壁８２は、上下方向に延びている。右フレーム前壁８２の上端は、右フレーム上壁８１の前端に連続している。
【００５８】
右フレーム下壁８３は、右フレーム平板部８０の下端から右方に向かって突出している。右フレーム下壁８３は、前後方向に延びている。右フレーム下壁８３の前端は、右フレーム前壁８２の下端に連続している。
【００５９】
右フレーム後壁８４は、右フレーム平板部８０の後端から右方に向かって突出している。右フレーム後壁８４は、上下方向に延びている。右フレーム後壁８４の下端は、右フレーム下壁８３の後端に連続しており、右フレーム後壁８４の上端は、右フレーム上壁８１の後端に連続している。
【００６０】
右フレーム４１Ｒは、低圧電源基板４５と、高圧電源基板４６と、制御基板４７とを支持している。
【００６１】
低圧電源基板４５は、右フレーム４１Ｒの右端面であって、前下方部分において支持されている。低圧電源基板４５は、右フレーム４１Ｒの右フレーム上壁８１と間隔を隔てて下方に位置している。低圧電源基板４５は、前後方向に延びる側面視略矩形の平板形状を有している。低圧電源基板４５は、外部電源からプリンタ１に入力された交流電流を直流電流に変換する。
【００６２】
高圧電源基板４６は、右フレーム４１Ｒの右端面であって、低圧電源基板４５の上方において支持されている。高圧電源基板４６は、右フレーム４１Ｒの右フレーム上壁８１と間隔を隔てて下方に位置している。高圧電源基板４６は、前後方向に延びる側面視略矩形の平板形状を有している。高圧電源基板４６は、低圧電源基板４５に電気的に接続されている。高圧電源基板４６は、図示しない変圧器を備え、後述する制御基板４７によって制御されることにより、低圧電源基板４５から入力された直流電流を、所定の電圧に変換して、スコロトロン型帯電器１８、転写ローラ１７、供給ローラ２０および加熱ローラ２２に供給する。
【００６３】
制御基板４７は、右フレーム４１Ｒの右端面であって、高圧電源基板４６の後端部の上方において支持されている。制御基板４７は、右フレーム４１Ｒの右フレーム上壁８１と間隔を隔てて下方に位置している。制御基板４７は、前後方向に延びる側面視略茎絵の平板形状を有している。制御基板４７は、低圧電源基板４５および高圧電源基板４６に電気的に接続されている。制御基板４７は、プリンタ１の各動作を制御する。
【００６４】
低圧電源基板４５、高圧電源基板４６および制御基板４７は、上方から見た状態において、右フレーム４１Ｒに対して定着ユニット１３とは反対側に位置している。
（２）定着カバー
図３および図７に示すように、定着カバー４２は、定着ユニット１３の上方に位置している。定着カバー４２は、左右方向に延びる平面視矩形の略平板形状を有している。定着カバー４２の左端部は、左フレーム４１Ｌの上端部に支持されており、定着カバー４２の右端部は、右フレーム４１Ｒの上端部に支持されている。定着カバー４２は、定着ユニット１３の上方において、定着ユニット１３を覆っている。定着カバー４２は、複数の貫通口の一例としての貫通穴４２Ａを有している。
【００６５】
複数の貫通穴４２Ａのそれぞれは、定着カバー４２の後端部に位置しており、定着カバー４２を上下方向に貫通している。複数の貫通穴４２Ａは、互いに左右方向に等間隔を隔てて位置している。
（３）リアフレーム
図５および図７に示すように、リアフレーム４８は、略ボックス形状を有している。リアフレーム４８は、１対のフレーム４１の後方に位置している。詳しくは、リアフレーム４８の右端部は、右フレーム４１Ｒの後方に位置している。リアフレーム４８の左端部は、左フレーム４１Ｌの後方に位置している。すなわち、右フレーム４１Ｒの後方、および、左フレーム４１Ｌの後方は、リアフレーム４８により覆われている。
（４）サイドカバー
図４、図５および図８に示すように、１対のサイドカバー４３のそれぞれは、側面視矩形の枠形状を有している。１対のサイドカバー４３のそれぞれは、１対のフレーム４１のそれぞれ、および、リアフレーム４８を左右方向外方から被覆している。
【００６６】
右サイドカバー４３Ｒは、右カバー平板部５１と、右カバー上壁５４と、右カバー前壁５２と、右カバー下壁５３と、右カバー後壁５５と、ファン支持部６０とを備えている。右サイドカバー４３Ｒは、上記した低圧電源基板４５、高圧電源基板４６および制御基板４７を挟んで右フレーム４１Ｒと反対側に位置している。
（４−１）右カバー平板部
右カバー平板部５１は、側面視略矩形の平板形状を有しており、上下方向および前後方向に拡がっている。右カバー平板部５１は、複数の右スリット４３Ａを備えている。
【００６７】
図１に示すように、複数の右スリット４３Ａは、右カバー平板部５１の上方部分であって、前後方向略中央部に位置している。複数の右スリット４３Ａは、右カバー平板部５１において、互いに上下方向および左右方向に間隔を隔てて並列するようにして位置している。複数の右スリット４３Ａは、左右方向に延びる略直線状を有しており、右カバー平板部５１を左右方向に貫通している。
（４−２）右カバー上壁
図５、図６および図８に示すように、右カバー上壁５４は、側面視において、複数の右スリット４３Ａの前方に位置している。右カバー上壁５４は、後述する延設壁７０とほぼ同じ高さに位置している。すなわち、右カバー上壁５４は、複数の右スリット４３Ａの上下方向中央よりも上方の部分に対して前方に位置している。右カバー上壁５４は、右カバー平板部５１の上端部であって、前後方向略中央部から前端までの部分において、左方に向かって突出している。側面視において、右カバー上壁５４は、右フレーム４１Ｒの右フレーム上壁８１と略同じ形状を有している。詳しくは、側面視において、右カバー上壁５４は、右フレーム４１Ｒの右フレーム上壁８１に沿うようにして、後方から前方に向かうにつれてやや下方に傾斜している。右カバー上壁５４は、右フレーム４１Ｒの右フレーム上壁８１の上方に位置している。
（４−３）右カバー前壁
右カバー前壁５２は、右カバー平板部５１の前端から左方に向かって突出している。右カバー前壁５２は、右フレーム４１Ｒの右フレーム前壁８２に沿うようにして、上下方向に延びている。右カバー前壁５２の上端は、右カバー上壁５４の前端に連続している。右カバー前壁５２は、右フレーム４１Ｒの右フレーム前壁８２の前方に位置している。
（４−４）右カバー下壁
右カバー下壁５３は、右カバー平板部５１の下端から左方に向かって突出している。右カバー下壁５３は、右フレーム４１Ｒの右フレーム下壁８３に沿うようにして、前後方向に延びている。右カバー下壁５３の前端は、右カバー前壁５２の前端に連続している。右カバー下壁５３は、右フレーム４１Ｒの右フレーム下壁８３の下方に位置している。
（４−５）右カバー後壁
右カバー後壁５５は、右カバー平板部５１の後端から左方に向かって突出している。右カバー後壁５５は、右フレーム４１Ｒの右フレーム後壁８４に沿うようにして、上下方向に延びている。右カバー後壁５５の下端は、右カバー下壁５３の後端に連続している。右カバー後壁５５は、リアフレーム４８の右後端部を右後方から覆っている。
（４−６）ファン支持部
ファン支持部６０は、右カバー平板部５１の上方部分であって、前後方向略中央部に位置している。すなわち、ファン支持部６０は、左右方向において、複数の右スリット４３Ａと向かい合う位置に位置している。ファン支持部６０は、上下方向から見た状態において、右フレーム４１Ｒに対して定着ユニット１３とは反対側に位置している。ファン支持部６０は、収容上壁６２と、収容前壁６４と、収容下壁６３と、収容後壁６５と、収容左壁６６と、延設壁７０と、を備えている。
【００６８】
図４、図６および図８に示すように、収容上壁６２は、平面視略矩形の平板形状を有しており、前後方向に延びている。収容上壁６２は、複数の右スリット４３Ａの上方から左方に向かって突出している。収容上壁６２は、右カバー上壁５４の上方に位置している。
【００６９】
収容前壁６４は、正面視略矩形の平板形状を有しており、上下方向に延びている。収容前壁６４は、複数の右スリット４３Ａの前方から左方に向かって突出している。収容前壁６４の上端は、収容上壁６２の前端と連続している。
【００７０】
収容下壁６３は、平面視略矩形の平板形状を有しており、前後方向に延びている。収容下壁６３は、複数の右スリット４３Ａの下方から左方に向かって突出している。収容下壁６３の前端は、収容前壁６４の下端と連続している。
【００７１】
収容後壁６５は、正面視略矩形の平板形状を有しており、上下方向に延びている。収容後壁６５は、複数の右スリット４３Ａの後方から左方に向かって突出している。収容後壁６５の上端は、収容上壁６２の後端と連続している。収容後壁６５の下端は、収容下壁６３の後端と連続している。
【００７２】
収容上壁６２、収容下壁６３、収容前壁６４および収容後壁６５により囲まれる右サイドカバー４３Ｒの部分が、ファン７１を回転可能に支持している。
【００７３】
ファン７１は、ファン支持部６０内において、左右方向を軸方向として回転可能に支持されている。
【００７４】
収容左壁６６は、側面視略矩形の板形状を有しており、収容上壁６２、収容下壁６３、収容前壁６４および収容後壁６５を左方から覆っている。収容左壁６６は、正面視において、下方から上方に向かった後、左上方に向かって傾斜し、その後、さらに上方に向かって延びている。収容左壁６６の上端は、収容上壁６２の左端と連続している。収容左壁６６の下端は、収容下壁６３の左端と連続している。収容左壁６６の前端は、収容前壁６４の左端と連続している。収容左壁６６の後端は、収容後壁６５の左端と連続している。収容左壁６６は、複数の左下スリット６６Ａおよび複数の左上スリット６６Ｂを有している。
【００７５】
複数の左下スリット６６Ａは、収容左壁６６の下方部分において、互いに上下方向および左右方向に間隔を隔てて並列するようにして位置している。複数の左下スリット６６Ａは、左右方向に延びる略直線状を有しており、収容左壁６６の下方部分を左右方向に貫通している。
【００７６】
複数の左上スリット６６Ｂは、収容左壁６６の上方部分において、互いに上下方向および左右方向に間隔を隔てて並列するようにして位置している。複数の左上スリット６６Ｂは、左右方向に延びる略直線状を有しており、収容左壁６６の上方部分を左右方向に貫通している。
【００７７】
延設壁７０は、平面視略矩形の平板形状を有し、前後方向に延びており、収容左壁６６から左方に向かって突出している。延設壁７０は、収容左壁６６の上下方向中央よりも上方に位置している。側面視において、収容左壁６６では、延設壁７０を境界として、下方に左下スリット６６Ａが位置し、上方に左上スリット６６Ｂが位置している。延設壁７０は、右フレーム４１Ｒの右フレーム上壁８１に近接するようにして、右フレーム４１Ｒの右フレーム上壁８１の上方に位置している。また、図７に示すように、延設壁７０の前左方部分は、定着カバー４２の右端部に近接する位置に位置している。換言すれば、延設壁７０は、左右方向において、右フレーム４１Ｒよりも定着ユニット１３側に延びている。延設壁７０は、その前端部が右カバー上壁５４の後端部の上方に位置しており、その後端部が、リアフレーム４８の右前端部の上方に位置している。
３．第１空間および第２空間
プリンタ１においては、右フレーム４１Ｒと右サイドカバー４３Ｒとによって第１空間Ｒ１が区画されている。詳しくは、図４、図５および図６に示すように、右フレーム平板部８０、右フレーム上壁８１、右フレーム前壁８２、右フレーム下壁８３、右フレーム後壁８４、右カバー平板部５１、右カバー上壁５４、右カバー前壁５２、右カバー下壁５３、リアフレーム４８の右後端部の前面および延設壁７０によって第１空間Ｒ１が区画されている。また、フラットベットスキャナ５のフレーム本体３２と定着カバー４２との間で第２空間Ｒ２が区画されている。詳しくは、図４、図５および図７に示すように、フラットベットスキャナ５のフレーム本体３２の下面３２Ａ、定着カバー４２の上面４２Ｂ、右カバー平板部５１の上端部５１Ａ、右カバー上壁５４および延設壁７０によって第２空間Ｒ２が区画されている。すなわち、延設壁７０は、第１空間Ｒ１と第２空間Ｒ２とを隔てている。
４．本体ケーシング内における気流
プリンタ１において、ファン７１が回転すると、本体ケーシング２内において気流が発生する。詳しくは、第１空間Ｒ１においては、低圧電源基板４５、高圧電源基板４６および制御基板４７の周辺からファン７１に向かう第１気流Ｆ１が発生する。すなわち、第１気流Ｆ１は、第１空間Ｒ１において、下方から上方に向かって流れており、ファン７１まで到達する。これにより、第１空間Ｒ１の空気は、複数の左下スリット６６Ａを介して、ファン７１により本体ケーシング２の外方に排出され、第３気流Ｆ３として本体ケーシング２の右方まで移動する。
【００７８】
また、定着ユニット１３周辺の空気は、加熱ローラ２２の動作により熱を有しており、定着カバー４２の複数の貫通穴４２Ａを介して定着カバー４２の上方に移動する。そして、第２空間Ｒ２においては、定着カバー４２の上方からファン７１に向かう第２気流Ｆ２が発生する。すなわち、第２気流Ｆ２は、第２空間Ｒ２において、左方から右方に向かって流れており、ファン７１まで到達する。これにより、第２空間Ｒ２の空気は、複数の左上スリット６６Ｂを介して、ファン７１により本体ケーシング２の外方に排出され、第３気流Ｆ３として本体ケーシング２の右方まで移動する。
【００７９】
このとき、延設壁７０は、第１空間Ｒ１と第２空間Ｒ２とを隔てているため、第１空間Ｒ１の空気が第２空間Ｒ２に流入することが抑制される。
５．作用効果
（１）このプリンタ１によれば、図４に示すように、ファン７１は、低圧電源基板４５、高圧電源基板４６および制御基板４７が配置される第１空間Ｒ１の空気と定着カバー４２とフラットベットスキャナ５のフレーム本体３２との間の第２空間Ｒ２の空気とを排気する。延設壁７０は、ファン支持部６０の収容左壁６６から定着ユニット１３側に延び、第１空間Ｒ１と第２空間Ｒ２とを隔てる。
【００８０】
そのため、低圧電源基板４５、高圧電源基板４６および制御基板４７の周辺の空気は、第１空間Ｒ１を通過して、ファン７１によって排気される。また、定着ユニット１３の周辺の空気は、第２空間Ｒ２を通過して、ファン７１によって排気される。このとき、延設壁７０によって第１空間Ｒ１の空気が第２空間Ｒ２に流入することが抑制される。
【００８１】
その結果、水蒸気を多く含む定着ユニット１３の周辺の空気が、低圧電源基板４５、高圧電源基板４６および制御基板４７が配置される第１空間Ｒ１に流入することを抑制しながら、第１空間Ｒ１および第２空間Ｒ２に発生する熱を排熱できる。
【００８２】
よって、低圧電源基板４５、高圧電源基板４６および制御基板４７に定着ユニット１３を通過した湿度の高い空気が流入することを抑制しつつ、本体ケーシング２内に発生した熱を排熱できる。
（２）また、このプリンタ１によれば、図８に示すように、延設壁７０は、収容左壁６６の上下方向中央よりも上方に配置されている。
【００８３】
これにより、第１空間Ｒ１の空気を排気するファン７１の領域を、第２空間Ｒ２の空気を排気するファン７１の領域に比べて大きくできる。
【００８４】
そのため、第１空間Ｒ１の空気を、第２空間Ｒ２の空気に比べて多く排気できる。
【００８５】
その結果、低圧電源基板４５、高圧電源基板４６および制御基板４７から発生する熱を効率よく排熱できる。
（３）また、このプリンタ１によれば、図３に示すように、延設壁７０は、右フレーム４１Ｒの右フレーム上壁８１よりも上方に配置されている。
【００８６】
これにより、延設壁７０により、低圧電源基板４５、高圧電源基板４６および制御基板４７が配置される第１空間Ｒ１に、第２空間Ｒ２の空気が流入することを確実に抑制できる。
【００８７】
そのため、低圧電源基板４５、高圧電源基板４６および制御基板４７に定着ユニット１３を通過した湿度の高い空気が流入することを一層抑制できる。
（４）また、このプリンタ１によれば、図８に示すように、右サイドカバー４３Ｒがファン支持部６０を有している。
【００８８】
そのため、ファン支持部６０を右サイドカバー４３Ｒにより安定的に保持できる。
（５）また、このプリンタ１によれば、図３に示すように、延設壁７０は、左右方向において右フレーム４１Ｒよりも定着ユニット１３側まで延びている。また、右フレーム４１Ｒに対して定着ユニット１３と反対側に低圧電源基板４５、高圧電源基板４６および制御基板４７が配置されている。
【００８９】
そのため、低圧電源基板４５、高圧電源基板４６および制御基板４７が配置される第１空間Ｒ１を右フレーム４１Ｒと延設壁７０とにより確実に区画できる。
（６）また、このプリンタ１によれば、図７に示すように、定着カバー４２は、第２空間Ｒ２と定着ユニット１３が配置されている空間とを連通する複数の貫通穴４２Ａを有する。
【００９０】
そのため、定着ユニット１３の周辺の空気を第２空間Ｒ２に円滑に流入させてファン７１により排気できる。
【００９１】
よって、定着ユニット１３の周辺に発生した熱を円滑に排熱できる。
６．変形例
上記実施形態においては、定着ユニット１３は、加熱ローラ２２と加圧ローラ２３とを備えている。
【００９２】
しかし、定着ユニット１３は、用紙Ｐに対して画像を定着させる構成であればよく、加熱ローラ２２と加圧ローラ２３とを備える構成に限られない。例えば、定着ユニット１３は、定着ベルトを備えていて、この定着ベルトと加圧ローラ２３とによって用紙Ｐに画像が定着される構成であってもよい。このとき、定着ベルトの回転の軸は、加圧ローラ２３の軸方向と同一方向に延びる。
【００９３】
このような構成によれば、画像を定着させる際の熱効率を向上させることができる。
【符号の説明】
【００９４】
１      プリンタ
５      フラットベットスキャナ
１１    プロセスユニット
１３    定着ユニット
４１Ｒ  右フレーム
４２    定着カバー
４２Ａ  貫通穴
４３Ｒ  右サイドカバー
４５    低圧電源基板
４６    高圧電源基板
６０    ファン支持部
７０    延設壁
７１    ファン
【図１】
2015069018.tif 000003
【図２】
2015069018.tif 000004
【図３】
2015069018.tif 000005
【図４】
2015069018.tif 000006
【図５】
2015069018.tif 000007
【図６】
2015069018.tif 000008
【図７】
2015069018.tif 000009
【図８】
2015069018.tif 000010